(57)【要約】【課題】家屋に隣接してプロパンボンベを配設したときに、美観を保つことができ、かつ、プロパンボンベを交換する際に邪魔になることが抑制された、プロパンボンベと共に用いられる壁体を提供すること。【解決手段】上下方向に延びる一対の上下辺と水平方向に延びる一対の水平辺とで囲繞された壁体本体と、家屋の外壁に固定され上下方向に延びる支持部材とを備え、支持部材の左右いずれかの側面に、雄ネジが形成された軸部を備える係止具が螺入されるように構成され、壁体本体の一対の上下辺のうち一方の上下辺から後方に、鍔部が延設され、鍔部に、鍔部の後端から前方に向けて凹没する係止凹部が形成されて、係止凹部には、この係止凹部から上下方向に凹没して軸部が進入可能な第２係止凹部を備え、壁体本体には、一対の水平辺のうち下側の水平辺から下方向に出退可能に、下辺用補助部材を備える。【選択図】図１
2019112918.tif 000002
【特許請求の範囲】
【請求項１】
家屋の軒先の下に配設されるプロパンボンベと共に用いられる壁体であって、
上下方向に延びる一対の上下辺と水平方向に延びる一対の水平辺とで囲繞された壁体本体と、
前記壁体本体の後方に配設されて、前記家屋の外壁に固定され、上下方向に延びる支持部材と、を備え、
前記支持部材の左右いずれかの側面に、雄ネジが形成された軸部を備える係止具が螺入されるように構成され、
前記壁体本体の前記一対の上下辺のうち一方の上下辺から後方に、鍔部が延設されており、
前記鍔部には、前記鍔部の後端から前方に向けて凹没する係止凹部が形成されており、
前記係止凹部には、さらに、この係止凹部から上下方向に凹没して前記軸部が進入可能な第２係止凹部を備えると共に、
前記壁体本体には、前記一対の水平辺のうち下側の水平辺から下方向に出退可能に、下辺用補助部材を備えることを特徴とするプロパンボンベと共に用いられる壁体。
【請求項２】
前記下辺用補助部材が板体からなり、
前記下辺用補助部材が、前記壁体本体の前記一対の上下辺のうち一方の上下辺から、前記壁体本体の前記一対の上下辺のうち他方の上下辺に至る、水平寸法を有し、
前記下辺用補助部材における前記壁体本体の前記一方の上下辺と対向する側を中心側とし、前記下辺用補助部材における前記壁体本体の前記他方の上下辺と対向する側を外方側としたとき、
前記下辺用補助部材の前記中心側に、中心側貫通口を備え、
前記下辺用補助部材の前記外方側に、外方側貫通口を備え、
前記下辺用補助部材が、前記中心側貫通口を貫通する中心側貫通口用固定具、および、前記外方側貫通口を貫通する外方側貫通口用固定具によって前記壁体本体に固定されるように構成され、
前記中心側貫通口が、少なくとも、水平方向に横長の長穴部を備え、
前記外方側貫通口が、少なくとも、上下方向に縦長の長穴部を備えることを特徴とする請求項１記載のプロパンボンベと共に用いられる壁体。
【請求項３】
前記外方側貫通口が、前記上下方向に縦長の長穴部の下端および上端から水平方向に凹没して前記外方側貫通口用固定具が進入可能に形成される凹没部を備えることを特徴とする請求項２記載のプロパンボンベと共に用いられる壁体。
【請求項４】
前記第２係止凹部を、前記係止凹部の上方および下方の両側に備えることを特徴とする請求項１から請求項３記載のプロパンボンベと共に用いられる壁体。
【請求項５】
前記支持部材が、前記家屋の外壁と所定寸法の間隙を存して、前記家屋の外壁に固定され、前記所定寸法の間隙を閉塞する板体からなる閉塞体を備えることを特徴とする請求項１から請求項４記載のプロパンボンベと共に用いられる壁体。
【発明の詳細な説明】
【技術分野】
【０００１】  本発明は、家屋の軒先の下に配設されるプロパンボンベと共に用いられる壁体の構造に関するものである。
【背景技術】
【０００２】  従来から、プロパンボンベを収納する、プロパンボンベ収納庫が知られている（例えば、特許文献１参照）。
【先行技術文献】
【特許文献】
【０００３】
【特許文献１】特開平１１−２５７６００号公報
【発明の概要】
【発明が解決しようとする課題】
【０００４】  上記特許文献１に示される従来例にあっては、左右一対の側板と、側板の開口部を塞ぐ扉によってプロパンボンベ収納庫が構成されている。【０００５】  このようなプロパンボンベ収納庫は、家屋に隣接してプロパンボンベを配設したときにも、美観を保つことができ有意義である。【０００６】  しかし、上記特許文献１に示される従来例にあっては、左右一対の側板と、側板の開口部を塞ぐ扉が必要であるから、製造コストが高くなりがちである。【０００７】  これに対し、家屋に隣接してプロパンボンベを配設したときに、製造コストを低減するために、プロパンボンベと隣接して家屋の外壁に壁体を固定して設置することで、美観を保つことが考えられる。【０００８】  しかし、プロパンボンベを交換する際に、隣接して家屋の外壁に壁体を固定して設置された壁体が邪魔になることが考えられる【０００９】  本発明は上記の事情に鑑みてなされたものであって、その目的とするところは、
家屋に隣接してプロパンボンベを配設したときに、美観を保つことができ、かつ、プロパンボンベを交換する際に簡単に着脱できて、邪魔になることが抑制された、プロパンボンベと共に用いられる壁体を提供することにある。
【課題を解決するための手段】
【００１０】  前記の課題を解決するために、本発明によるプロパンボンベと共に用いられる壁体は、家屋の軒先の下に配設されるプロパンボンベと共に用いられる壁体であって、上下方向に延びる一対の上下辺と水平方向に延びる一対の水平辺とで囲繞された壁体本体と、前記壁体本体の後方に配設されて、前記家屋の外壁に固定され、上下方向に延びる支持部材と、を備え、前記支持部材の左右いずれかの側面に、雄ネジが形成された軸部を備える係止具が螺入されるように構成され、前記壁体本体の前記一対の上下辺のうち一方の上下辺から後方に、鍔部が延設されており、前記鍔部には、前記鍔部の後端から前方に向けて凹没する係止凹部が形成されており、前記係止凹部には、さらに、この係止凹部から上下方向に凹没して前記軸部が進入可能な第２係止凹部を備えると共に、前記壁体本体には、前記一対の水平辺のうち下側の水平辺から下方向に出退可能に、下辺用補助部材を備えることを特徴とする。【００１１】  このように構成することで、家屋に隣接してプロパンボンベを配設したときに、美観を保つことができ、かつ、プロパンボンベを交換する際に簡単に着脱出来て邪魔になることが抑制された、プロパンボンベと共に用いられる壁体を提供できるに至った。【００１２】  なお、前記下辺用補助部材が板体からなり、前記下辺用補助部材が、前記壁体本体の前記一対の上下辺のうち一方の上下辺から、前記壁体本体の前記一対の上下辺のうち他方の上下辺に至る、水平寸法を有し、前記下辺用補助部材における前記壁体本体の前記一方の上下辺と対向する側を中心側とし、前記下辺用補助部材における前記壁体本体の前記他方の上下辺と対向する側を外方側としたとき、前記下辺用補助部材の前記中心側に、中心側貫通口を備え、前記下辺用補助部材の前記外方側に、外方側貫通口を備え、前記下辺用補助部材が、前記中心側貫通口を貫通する中心側貫通口用固定具、および、前記外方側貫通口を貫通する外方側貫通口用固定具によって前記壁体本体に固定されるように構成され、前記中心側貫通口が、少なくとも、水平方向に横長の長穴部を備え、前記外方側貫通口が、少なくとも、上下方向に縦長の長穴部を備えることが好ましい。【００１３】  このように構成することで、軒先の下のプロパンボンベが配設される箇所と壁体本体の下端との間の隙間を、下辺用補助部材によって簡単に塞ぐことができる。【００１４】  つまり、軒先の下は一般的に犬走りという、家屋の外壁から遠ざかるほど低くなる傾斜面が形成されることが多く、支持体に係止された壁体本体とこの傾斜面との間の隙間は、支持体に係止される一方の上下辺側と比べて、他方の上下辺側が大きくなることになる。【００１５】  したがって、外方側貫通口が、少なくとも、上下方向に縦長の長穴部を備えることで、一方の上下辺側と比べて、他方の上下辺側が大きくなる壁体本体とこの傾斜面との間の隙間を塞ぐための下辺用補助部材の上下位置の調節が容易に行えるのである。【００１６】  なお、中心側貫通口が、少なくとも、水平方向に横長の長穴部を備えることで、中心側貫通口と外方側貫通口との離間寸法のバラツキ、および、または、中心側貫通口用固定具と外方側貫通口用固定具との離間寸法のバラツキがある場合���も、壁体本体への下辺用補助部材の取り付けが適正に行えるのである。【００１７】  また、前記外方側貫通口が、前記上下方向に縦長の長穴部の下端および上端から水平方向に凹没して前記外方側貫通口用固定具が進入可能に形成される凹没部を備えることが好ましい。【００１８】  このように構成することで、犬走り上において、他方の上下辺側が大きくなる壁体本体とこの傾斜面との間の隙間を塞ぐための下辺用補助部材の上下位置の調節を行う際に、外方側貫通口用固定具を凹没部に進入させて、下辺用補助部材の上下方向位置を仮止めすることができ、壁体本体への下辺用補助部材の取り付けが容易に行えるのである。【００１９】  また、前記第２係止凹部を、前記係止凹部の上方および下方の両側に備えることが好ましい。【００２０】  このように構成することで、壁体本体の右側にプロパンボンベが配設される場合と、壁体本体の左側にプロパンボンベが配設される場合とに応じて、壁体本体の天地を倒立させても、支持部材に螺入された係止具の軸部に、第２係止凹部を係止させることができるのである。【００２１】  また、前記支持部材が、前記家屋の外壁と所定寸法の間隙を存して、前記家屋の外壁に固定され、前記所定寸法の間隙を閉塞する板体からなる閉塞体を備えることが好ましい。【００２２】  このように構成することで、本発明による壁体と家屋の外壁との間にガス管などを配設する場合、このガス管などの配設が容易に行え、このガス管が配設される位置に切欠きを設けた閉塞体によって、支持部材と家屋の外壁との間の間隙を塞ぐことができるのである。
しかも閉塞体が板体からなるので、ガス管が配設される位置に、容易に切欠きを設けることが可能となる。
【発明の効果】
【００２３】  本発明によって、家屋に隣接してプロパンボンベを配設したときに、美観を保つことができ、かつ、プロパンボンベを交換する際に簡単に着脱出来て、邪魔になることが抑制された、プロパンボンベと共に用いられる壁体を提供できるに至った。
また、軒先の下のプロパンボンベが配設される箇所と壁体本体の下端との間の隙間を、下辺用補助部材によって簡単に塞ぐことができる。
また、犬走り上において、支持部材に係止される側と反対側の上下辺側が大きくなる壁体本体とこの傾斜面との間の隙間を塞ぐための下辺用補助部材の上下位置の調節を行う際に、外方側貫通口用固定具を凹没部に進入させて、下辺用補助部材の上下方向位置を仮止めすることができ、壁体本体への下辺用補助部材の取り付けが容易に行える
また、壁体本体の右側にプロパンボンベが配設される場合と、壁体本体の左側にプロパンボンベが配設される場合とに応じて、壁体本体の天地を倒立させても、支持部材に螺入された係止具の軸部に、第２係止凹部を係止させることができるのである。
また、本発明による壁体と家屋の外壁との間にガス管などを配設する場合、このガス管などを配設が容易に行え、このガス管が配設される位置に切欠きを設けた閉塞体によって、支持部材と家屋の外壁との間の間隙を塞ぐことができるのである。
しかも閉塞体が板体からなるので、ガス管が配設される位置に、容易に切欠きを設けることが可能となる。
【図面の簡単な説明】
【００２４】
【図１】本発明の一実施形態のプロパンボンベと共に用いられる壁体の斜視図である。
【図２】本発明の一実施形態の（ａ）プロパンボンベが壁体本体の右側に位置するときのプロパンボンベと共に用いられる壁体の平面図、（ｂ）係止具の平面図である。
【図３】本発明の一実施形態のプロパンボンベが壁体本体の左側に位置するときのプロパンボンベと共に用いられる壁体の平面図である。
【図４】本発明の一実施形態のプロパンボンベと共に用いられる壁体の（ａ）壁体本体に備える鍔部を支持体に係止する状態を示す側面図、（ｂ）係止部の軸部が第２係止凹部に進入した状態を示す拡大図である。
【図５】本発明の一実施形態のプロパンボンベと共に用いられる壁体を、下辺用補助部材と共に示す側面図である。
【図６】本発明の一実施形態のプロパンボンベと共に用いられる壁体を、下辺用補助部材と共に示す側面図である。
【図７】本発明の一実施形態のプロパンボンベと共に用いられる壁体を、下辺用補助部材と共に示す側面図である。
【図８】本発明の一実施形態のプロパンボンベと共に用いられる壁体に備える、下辺用補助部材を示す側面図である。
【図９】本発明の一実施形態のプロパンボンベと共に用いられる壁体に閉塞体を装着した状態を示す側面図である。
【発明を実施するための形態】
【００２５】  以下、本発明の実施の形態について、図面を参照しながら説明する。
なお、図１、図４においては、後述する、下辺用補助部材５０の記載を省略している。
また、図５、図６、図７においては、後述する、閉塞体７７の記載を省略している。
【００２６】  図１は、プロパンボンベ８０と共に用いられる壁体１０を示し、本実施形態では、家屋の軒先の下８１に配設されるプロパンボンベ８０（図において一点鎖線にて示す）と共に用いられている。
【００２７】  壁体１０は、上下方向に延びる一対の上下辺２０と水平方向に延びる一対の水平辺３０とで囲繞された壁体本体１１を備え、家屋の外壁８２に固定され、上下方向に延びる支持部材４０が壁体本体１１の後方に配設されている。
なお、支持部材４０は、図２、図３に示すように支持金具４１を用いて、家屋の外壁８２に固定されている。なお、図２、図３において、隣家との境界線を８４として２点鎖線にて示してある。
【００２８】  壁体本体１１は、一方側が開放された有底箱状の形態に構成されており、本実施形態では、プロパンボンベ８０が設置される側が開放した側として壁体本体１１が配置される。（図１参照。）
【００２９】  支持部材４０の左右いずれかの側面に、雄ネジが形成された軸部４３１（図２（ｂ）参照。）を備える係止具４３が螺入されるように構成されている。なお、図４（ａ）においては、係止具４３に備えるつまみ部４３２（図２（ｂ）参照。）の記載を省略している。
【００３０】  また、図１に示すように、壁体本体１１の一対の上下辺２０のうち一方の上下辺２１から後方、つまり支持部材４０が存在している方向に、鍔部４４が延設されている。
【００３１】  また、図４（ａ）（ｂ）に示すように、鍔部４４には、鍔部４４の後端から前方に向けて凹没する係止凹部４ａが形成されている。
【００３２】  さらに、係止凹部４ａには、さらに、この係止凹部４ａから上下方向に凹没して軸部４３１が進入可能な第２係止凹部４ｂを備える。
【００３３】  本発明による壁体１０は、このように構成されており、図４に示すように、支持部材４０に螺入した係止具４３の軸部４３１と、第２係止凹部４ｂとが係止して、壁体本体１１を支持部材４０に簡単に装着することができ、係止具４３を緩めることで、壁体本体１１を支持部材４０から簡単に取り外すことができる。つまり、支持部材４０に対し、壁体本体１１を簡単に着脱可能に構成されている。
【００３４】  そして、本実施形態では、図５、図６、図７、図９に示すように、壁体本体１１には、一対の水平辺３０のうち、図における下側の水平辺３２から下方向に出退可能に、下辺用補助部材５０を備えている。なお、下辺用補助部材５０については、後に詳述する。
【００３５】  本発明による、プロパンボンベ８０と共に用いられる壁体１０は、以上のように構成されているので、家屋に隣接してプロパンボンベ８０を配設したときに、美観を保つことができ、かつ、プロパンボンベ８０を交換する際に簡単に着脱することができて、邪魔になることが抑制された、プロパンボンベと共に用いられる壁体を提供できるに至った。
【００３６】  なお、本実施形態では、図４（ａ）（ｂ）に示すように、第２係止凹部４ｂが、係止凹部４ａの上方および下方の両側に、第２係止凹部４ｂ１、第２係止凹部４ｂ２として備えられている。
【００３７】  本実施形態の壁体１０では、第２係止凹部４ｂが、係止凹部４ａの上方および下方の両側に、第２係止凹部４ｂ１、第２係止凹部４ｂ２として備えられているので、図２に示すように壁体本体１１の右側にプロパンボンベ８０が配設される場合と、図３に示すように壁体本体１１の左側にプロパンボンベ８０が配設される場合とに応じて、壁体本体１１の天地を倒立させても、支持部材４０に螺入された係止具４３の軸部４３１に、第２係止凹部４ｂを係止させることができるのである。
【００３８】  本実施形態では、下辺用補助部材５０が板体（例えば、めっき鋼板、または、ステンレス鋼板）から構成される。
そして、図５、図６、図７に示すように、下辺用補助部材５０が、壁体本体１１の一対の上下辺２０のうち一方の上下辺２１から、壁体本体１１の一対の上下辺２０のうち他方の上下辺２２に至る、水平寸法を有する。
【００３９】  そして、下辺用補助部材５０における壁体本体１１の一方の上下辺２１と対向する側を中心側５１（図５、図６、図７において左向きの白抜き矢印にて示す方向）とし、下辺用補助部材５０における壁体本体１１の他方の上下辺２２と対向する側を外方側５４（図５、図６、図７において右向きの白抜き矢印にて示す方向）としたとき、下辺用補助部材５０の中心側５１に、中心側貫通口５２を備え、下辺用補助部材５０の外方側５４に、外方側貫通口５５を備える。
【００４０】  そして、下辺用補助部材５０が、中心側貫通口５２を貫通する中心側貫通口用固定具６１、および、外方側貫通口５５を貫通する外方側貫通口用固定具６２によって壁体本体１１に固定されるように構成されており、図５、図６、図７に示すように、中心側貫通口５２が、水平方向に横長の長穴部５３を備え、外方側貫通口５５が、上下方向に縦長の長穴部５６を備えている。
【００４１】  因みに、軒先の下は一般的に犬走りという、家屋の外壁８２から遠ざかるほど低くなる傾斜面８１が形成されることが多く、壁体本体１１とこの傾斜面８１との間の隙間は、支持体に係止される一方の上下辺２１側と比べて、他方の上下辺２２側が大きくなることになる。
【００４２】  したがって、外方側貫通口５５が、上下方向に縦長の長穴部５６を備えることで、一方の上下辺２１側と比べて、他方の上下辺２２側が大きくなる壁体本体１１とこの傾斜面８１との間の隙間を塞ぐための下辺用補助部材５０の上下位置の調節が容易に行えるのである。
【００４３】  なお、中心側貫通口５２が、水平方向に横長の長穴部５３を備えることで、中心側貫通口５２と外方側貫通口５５との離間寸法のバラツキ、および、または、中心側貫通口用固定具６１と外方側貫通口用固定具６２との離間寸法のバラツキがある場合にも、壁体本体１１への下辺用補助部材５０の取り付けが適正に行えるのである。
【００４４】  さらに、図５、図６、図７に示すように、本実施形態では、外方側貫通口５５が、上下方向に縦長の長穴部５６の下端および上端から水平方向に凹没して外方側貫通口用固定具６２が進入可能に形成される凹没部５７を備えている。
【００４５】  このように構成されているので、犬走り８１上において、他方の上下辺２２側が大きくなる壁体本体１１とこの傾斜面（犬走り）８１との間の隙間を塞ぐための下辺用補助部材５０の上下位置の調節を行う際に、図５に示すように、外方側貫通口用固定具６２を下側の凹没部５７に進入させて、下辺用補助部材５０の上下方向位置を仮止めすることができ、壁体本体１１への下辺用補助部材５０の取り付けが容易に行えるのである。
【００４６】  なお、図７に示すように、壁体本体１１とこの傾斜面（犬走り）８１との間の隙間の大きさに応じて、外方側貫通口用固定具６２を縦長の長穴部５６を貫通した状態で下辺用補助部材５０の上下位置を調節した状態で下辺用補助部材５０を固定することが可能である。
【００４７】  なお、図５、図６、図７、図９に示すように、図の状態から、壁体本体１１の天地を倒立させて支持部材４０に係止した場合のために、図における壁体本体１１の上方に、下辺用補助部材螺入用雌ネジ２７を設けてある。
【００４８】  さらに、本実施形態では、図５に示すように、支持部材４０が、家屋の外壁８２と所定寸法の間隙Ｂを存して、家屋の外壁８２に固定される。つまり、図５では図示を省略してあるが、図２、図３に示すように支持金具４１を用いて、支持部材４０が、家屋の外壁８２と所定寸法の間隙Ｂ（本実施形態では、Ｂ＝３０ｍｍとしてある。）を存して、家屋の外壁８２に固定される。そして、図９に示すように、この所定寸法の間隙Ｂを閉塞する板体（板厚０．５ｍｍのめっき鋼板またはステンレス鋼板）からなる閉塞体７７を備える。
【００４９】  このように構成することで、図９に示すように、壁体１０と家屋の外壁８２との間にガス管８３などを配設する場合、ガス管８３などの配設が容易に行え、ガス管８３が配設される位置に配管通過用切欠き７８を設けた閉塞体７７によって、支持部材４０と家屋の外壁８２との間の間隙Ｂを塞ぐことができるのである。
【００５０】  しかも閉塞体７７が板体からなるので、ガス管８３が配設された位置に、容易に作業者が配管通過用切欠き７８を設けることが可能となる。
【００５１】  発明は、上記実施形態に限定されるものではなく、本発明の範囲内において種々の変形を加えることが可能である。
【符号の説明】
【００５２】  １０  壁体
１１  壁体本体
２０  上下辺
２１  一方の上下辺
２２  他方の上下辺
２７  下辺用補助部材螺入用雌ネジ
３０  水平辺
３１  上側の水平辺
３２  下側の水平辺
４０  支持部材
４１  支持金具
４３  係止具
４３１  軸部
４３２  つまみ部
４ａ  係止凹部
４ｂ  第２係止凹部
４ｂ１  第２係止凹部
４ｂ２  第２係止凹部
４４  鍔部
５０  下辺用補助部材
５１  中心側
５２  中心側貫通口
５３  横長の長穴部
５４  外方側
５５  外方側貫通口
５６  縦長の長穴部
５７  凹没部
６１  中心側貫通口用固定具
６２  外方側貫通口用固定具
Ｂ    所定寸法の間隙
７７  閉塞体
７８  配管通過用切欠き
８０  プロパンボンベ
８１  家屋の軒先の下（傾斜面、犬走り）
８２  家屋の外壁
８３  ガス管
８４  隣家との境界線
【図１】
2019112918.tif 000003
【図２】
2019112918.tif 000004
【図３】
2019112918.tif 000005
【図４】
2019112918.tif 000006
【図５】
2019112918.tif 000007
【図６】
2019112918.tif 000008
【図７】
2019112918.tif 000009
【図８】
2019112918.tif 000010
【図９】
2019112918.tif 000011